(57)【要約】【課題】使い勝手の良い背負い袋兼用ウエストポーチを提供する。【解決手段】  袋収納部Ｑを有するポーチ本体２と、前記袋収納部Ｑ内に収納すること及び当該袋収納部Ｑから展開することが可能に、前記ポーチ本体２に取り付けられた背負い袋本体２０と、前記ポーチ本体２に取り付けられ、肩掛けベルト及び腰巻きベルトを兼ねるベルト部材３０とを具備する。前記ポーチ本体２は、前記背負い袋本体２０を前記袋収納部Ｑ内から展開された状態で、背負い袋本体２０の上半部２０ｂに配置されるように構成されている。前記ベルト部材３０は、前記ポーチ本体２から左右方向の反対側へ延びる一対の帯状のベルト部３２を含み、これらベルト部３２の先部３６同士を締結することができるとともに、各ベルト部３２の先部３６側を、背負い袋本体２０の下半部２０ａに設けられた締結部材２６に締結することが可能に構成した。【選択図】図１
2020141726.tif 000002
【特許請求の範囲】
【請求項１】
袋収納部(Ｑ)を有するポーチ本体(２)と、
前記袋収納部(Ｑ)内に収納すること及び当該袋収納部(Ｑ)から展開することが可能に、前記ポーチ本体(２)に取り付けられた背負い袋本体(２０)と、
前記ポーチ本体(２)に取り付けられ、肩掛けベルト及び腰巻きベルトを兼ねるベルト部材(３０)とを具備し、
前記ポーチ本体(２)は、前記背負い袋本体(２０)を前記袋収納部(Ｑ)内から展開された状態で、背負い袋本体(２０)の上半部(２０ｂ)に配置されるように構成されていることを特徴とする、背負い袋兼用ウエストポーチ。
【請求項２】
前記ベルト部材(３０)は、前記ポーチ本体(２)から左右方向の反対側へ延びる一対の帯状のベルト部(３２)を含み、これらベルト部(３２)の先部(３６)同士を締結することができるとともに、各ベルト部(３２)の先部(３６)側を、背負い袋本体(２０)に設けられた締結部材(２６)に締結することが可能に構成したことを特徴とする、請求項１に記載の背負い袋兼用ウエストポーチ。
【請求項３】
前記袋収納部(Ｑ)は、前記ポーチ本体(２)の内部に設けられており、
このポーチ本体(２)の下端寄りに、前記背負い袋本体(２０)を外部へ展開するための補助開口部(Ｂ)を、この補助開口部(Ｂ)より高い位置に前記ポーチ本体(２)内の収納品を取り出すための主開口部(Ａ)をそれぞれ形成したことを特徴とする、請求項１又は請求項２に記載の背負い袋兼用ウエストポーチ。
【請求項４】
前記ポーチ本体(２)の前壁部(４)と後壁部(８)との間の空間を２つに仕切るパーティション(１６)を、これら前壁部(４)及び後壁部(８)の間に掛け渡して設け、
前記空間のうちのパーティション(１６)の下側の部分を袋収納部(Ｑ)に、また当該パーティションの上側の部分を物品収納部(Ｒ)にそれぞれ形成し、
この物品収納部(Ｒ)に対して物品を出し入れするための上側主開口部(Ａ２)を前記ポーチ本体(２)の天蓋部(１８)に設けたことを特徴とする、請求項３に記載の背負い袋兼用ウエストポーチ。
【請求項５】
前記一対のベルト部(３２)は、前記ポーチ本体(２)の後面の左右方向の中間部に設置された取付部位(Ｃ)から延びており、
この取付部位(Ｃ)から左右側方に離間させて、一対のベルト通し(１０)を設けて、各ベルト通し(１０)と前記ポーチ本体(２)の後面との間に、前記ベルト部(３２)を保持することが可能な左右方向のベルト保持孔(Ｈ)を形成させるとともに、
前記ベルト通し(１０)の一部に、前記ベルト部(３２)の保持状態を解除できるように分離するとともに再び連結することが可能な分離部(１２)を設けたことを特徴とする、請求項から請求項４のいずれかに記載の背負い袋兼用ウエストポーチ。
【発明の詳細な説明】
【技術分野】
【０００１】
本発明は、背負い袋兼用ウエストポーチに関する。
【背景技術】
【０００２】
この種のものとして、腰巻きベルトを備えたウエストポーチの本体の内部に、肩掛けベルトを備えた背負いバッグを折り畳んで取り付け、内蔵させたものが知られている（特許文献１）。
【先行技術文献】
【特許文献】
【０００３】
【特許文献１】特開平３−４５２０１
【発明の概要】
【発明が解決しようとする課題】
【０００４】
特許文献１のものでは、腰巻きベルトを備えたウエストポーチの本体と肩掛けベルトを備えた背負いバッグとを単に結合させ、後者を前者に内蔵させただけに過ぎず、次の点で使い勝手がよくなかった。
第１に、ウエストポーチに腰巻きベルトを、背負いバッグに肩掛けベルトをそれぞれ設けているから、全体として嵩張り、重量も大きくなる。
第２に、ウエストバッグ内から背負いバッグを外部に展開してその肩バンドを利用者の肩にかけて背負い袋として使用するときに、ウエストバッグから腰巻きベルトが垂れ下がっていると、腰巻きベルトが利用者の身体に当たったりして、都合が悪い。
この不都合は、例えば腰巻きベルトをウエストバッグの本体から一旦取り外して、本体内にしまうなどの工夫で或る程度解消できる。しかしながら、腰巻きベルトを取り外して本体内にしまう手間が生ずるので、面倒であり、使い勝手が悪いことに変わりがない。
【０００５】
本発明の目的は、使い勝手の良い背負い袋兼用ウエストポーチを提供することである。
【課題を解決するための手段】
【０００６】
第１の手段は、袋収納部Ｑを有するポーチ本体２と、
前記袋収納部Ｑ内に収納すること及び当該袋収納部Ｑから展開することが可能に、前記ポーチ本体２に取り付けられた背負い袋本体２０と、
前記ポーチ本体２に取り付けられ、肩掛けベルト及び腰巻きベルトを兼ねるベルト部材３０とを具備し、
前記ポーチ本体２は、前記背負い袋本体２０を前記袋収納部Ｑ内から展開された状態で、背負い袋本体２０の上半部２０ｂに配置されるように構成されている。
【０００７】
本手段では、袋収納部Ｑを有するポーチ本体２と、このポーチ本体２に取り付けられた背負い袋本体２０と、前記ポーチ本体２に取り付けられ、肩掛けベルト及び腰巻きベルトを兼ねるベルト部材３０とからなる、背負い袋兼用のウエストポーチを提案している。
前記ベルト部材３０が肩掛けベルト及び腰巻きベルトを兼ねるから、肩掛けベルトと腰巻きベルトとを別々に設ける場合に比べて嵩張らず、使い勝手がよい。
「袋収納部」は、図示例では、ポーチ本体の物品収納部と仕切っているが、両者を区別せずに、物品収納部と兼用してもよい。
「ベルト部材」は、図示例では、一対のベルト部で形成しているが、一本のベルトとして形成しても構わない。
【０００８】
第２の手段は、第１の手段を有し、かつ
前記ベルト部材３０は、前記ポーチ本体２から左右方向の反対側へ延びる一対の帯状のベルト部３２を含み、これらベルト部３２の先部３６同士を締結することができるとともに、各ベルト部３２の先部３６側を、背負い袋本体２０に設けられた締結部材２６に締結することが可能に構成した。
【０００９】
本手段では、肩掛けベルト及び腰巻きベルトを兼ねるベルト部材３０の好適な形態を提案している。当該ベルト部材は、前記ポーチ本体２から左右方向の反対側へ延びる一対の帯状のベルト部３２を含み、腰巻ベルトとして使用するときには、これらベルト部３２の先部３６同士を締結し、また肩掛けベルトとして使用するときには、各ベルト部３２の先部３６側を、背負い袋本体２０に設けられた締結部材２６に締結することが可能に構成している。従って、腰巻ベルトとしても肩掛けベルトとしても使い勝手がよく、便利である。
なお、締結部材２６は、背負い袋本体２０の下半部２０ａに設けることが好適である。
【００１０】
第３の手段は、第１の手段又は第２の手段を有し、かつ前記袋収納部Ｑは、前記ポーチ本体２の内部に設けられており、
このポーチ本体２の下端寄りに、前記背負い袋本体２０を外部へ展開するための補助開口部Ｂを、この補助開口部Ｂより高い位置に前記ポーチ本体２内の収納品を取り出すための主開口部Ａをそれぞれ形成している。
【００１１】
本手段では、図５に示す如く、ポーチ本体２の下端寄りに、前記背負い袋本体２０を外部へ展開するための補助開口部Ｂを設けている。このレイアウトによれば、肩掛けベルト及び腰巻きベルトをカバー部材で兼用することを無理なく実現することができる。
【００１２】
第４の手段は、第３の手段を有し、かつ前記ポーチ本体２の前壁部４と後壁部８との間の空間を２つに仕切るパーティション１６を、これら前壁部４及び後壁部８の間に掛け渡して設け、
前記空間のうちのパーティション１６の下側の部分を袋収納部Ｑに、また当該パーティションの上側の部分を物品収納部Ｒにそれぞれ形成し、
この物品収納部Ｒに対して物品を出し入れするための上側主開口部Ａ２を前記ポーチ本体２の天蓋部１８に設けている。
【００１３】
本手段では、図３（Ａ）に示す如く、前記ポーチ本体２の前壁部４と後壁部８との間の空間を２つに仕切るパーティション１６を前記前壁部４及び後壁部８の間に設けることを提案している。そして前記パーティション１６の下側に袋収納部Ｑに、また当該パーティションの上側の部分を物品収納部Ｒにそれぞれ形成している。
従ってポーチ本体２の天蓋部１８の上側主開口部Ａ２から物品を出し入れできるともに、また前記ポーチ本体２の下端寄りの補助開口部Ｂから背負い袋本体２０を展開することができ、使い勝手が良い。
好適な一実施例として、前記パーティション１６は、図１に示すように、前記前壁部４の上端側と前記後壁部８の下端側との間に、或いは、図示はしていないが、前記前壁部４の下端側と前記後壁部８の上端側との間に設けることができる。
【００１４】
第５の手段は、第１の手段から第４の手段のいずれかを有し、かつ前記一対のベルト部３２は、前記ポーチ本体２の後面の左右方向の中間部に設置された取付部位Ｃから延びており、
この取付部位Ｃから左右側方に離間させて、一対のベルト通し１０を設けて、各ベルト通し１０と前記ポーチ本体２の後面との間に、前記ベルト部３２を保持することが可能な左右方向のベルト保持孔Ｈを形成させるとともに、
前記ベルト通し１０の一部に、前記ベルト部３２の保持状態を解除できるように分離するとともに再び連結することが可能な分離部１２を設けている。
【００１５】
本手段では、一対のベルト部３２が前記ポーチ本体２の後面の左右方向の中間部に設置された取付部位Ｃから延びており、図２に示す如く、この取付部位Ｃから左右側方に離間させて、一対のベルト通し１０を設けている。
また前記ベルト通し１０の一部に、前記ベルト部３２の保持状態を解除できるように分離するとともに再び連結することが可能な分離部１２を設けている。従って図７及び図８に示す如く、前記ベルト通し１０を外して、前記ベルト部３２の上記保持状態を解除した後に、ベルト部３２を肩掛けバンドとして長く用いることができ、使い勝手がよい。
【発明の効果】
【００１６】
第１の手段に係る発明によれば、ポーチ本体２に取り付けられたベルト部材３０が肩掛けベルト及び腰巻きベルトを兼ねるから、肩掛けベルトと腰巻きベルトとを別々に設ける場合に比べて嵩張らず、使い勝手がよい。
第２の手段に係る発明によれば、ポーチ本体２から左右方向の反対側へ延びる一対の帯状のベルト部３２を腰巻ベルトとして使用するときには、これらベルト部３２の先部３６同士を締結し、また肩掛けベルトとして使用するときには、各ベルト部３２の先部３６側を、背負い袋本体２０に設けられた締結部材２６に締結することができるから、腰巻ベルトとしても肩掛けベルトとしても使い勝手がよい。
第３の手段に係る発明によれば、ポーチ本体２の下端寄りに、前記背負い袋本体２０を外部へ展開するための補助開口部Ｂを設けたから、肩掛けベルト及び腰巻きベルトを兼ねるレイアウトを無理なく実現することができる。
第４の手段に係る発明によれば、前記ポーチ本体２の前壁部４と後壁部８との間の空間を２つに仕切るパーティション１６の下側に袋収納部Ｑに、また当該パーティションの上側の部分を物品収納部Ｒにそれぞれ形成したから、ポーチ本体２の天蓋部１８の上側主開口部Ａ２から物品を出し入れできるともに、また前記ポーチ本体２の下端寄りの補助開口部Ｂから背負い袋本体２０を展開することができ、使い勝手が良い。
第５の手段に係る発明によれば、一対のベルト部３２が前記ポーチ本体２の後面の左右方向の中間部に設置された取付部位Ｃから延びており、この取付部位Ｃから左右側方に離間させて、一対のベルト通し１０を設けるとともに、ベルト通し１０の一部に、前記ベルト部３２の保持状態を解除できるように分離するとともに再び連結することが可能な分離部１２を設けたから、上記保持状態の解除により、ベルト部３２を肩掛けバンドとして長く用いることができ、使い勝手がよい。
【図面の簡単な説明】
【００１７】
【図１】本発明の実施形態に係る背負い袋兼用ウエストポーチの正面図である。
【図２】図１のウエストポーチの背面図である。
【図３】図１のウエストポーチの縦方向の断面構造を示す図であり、同図（Ａ）はIIIA−IIIA方向のポーチ全体の断面図を、同図（Ｂ）はIIIB−IIIB方向の要部断面図をそれぞれ示している。
【図４】図１のウエストポーチに物品を収納した状態を示す断面図である。
【図５】図１のウエストポーチのポーチ本体から背負い袋本体を展開する作業の説明図である。
【図６】図１のウエストポーチのポーチ本体から背負い袋本体を展開した状態での断面図である。
【図７】図１のウエストポーチの背負い袋本体を展開した後にベルト通しを外してベルト側締結部とバッグ側締結部とを締結する作業を正面方向から見た説明図である。
【図８】前記ベルト側締結部とバッグ側締結部とを締結する作業を背面方向から見た説明図である。
【発明を実施するための最良の形態】
【００１８】
図１から図８は、背負い袋兼用のウエストポーチを示している。
この背負い袋兼用のウエストポーチは、ポーチ本体２と、背負い袋本体２０と、ベルト部材３０とで構成されている。これら各部材は、例えば布材或いは合成樹脂で形成することができる。
【００１９】
ポーチ本体２は、品物を収納するための物品収納部Ｒと前記背負い袋本体２０を収納するための袋収納部Ｑとを有する。図示例では、ポーチ本体２の内部を後述のパーティション１６で上下二つに仕切って、上側の空間を物品収納部Ｒに、また下側の空間を袋収納部Ｑにそれぞれ形成している。
もっともこの構成は適宜変更することができ、例えば前記パーティションを省略して、前記袋収納部Ｑと前記袋収納部Ｒとを兼ねる同じ空間に背負い袋本体２０と収納物品とを収納するようにしてもよい。また前記袋収納部Ｑは、ポーチ本体２の外側に付設した収納部（外袋）としても構わない。                                                                                                                                  
【００２０】
本実施形態のポーチ本体２は、図１に示すように、左右方向に長い袋状であり、前壁部４と後壁部８とパーティション１６と天蓋部１８とで構成されている。
そして、ポーチ本体２の下縁に背負い袋本体２０を外部へ展開するための補助開口部Ｂを、また、補助開口部Ｂより上側の箇所（図示例ではポーチ本体２の上端寄りの箇所）に収納物品を出し入れするための主開口部Ａを、それぞれ形成している。
なお、本明細書では、便宜的に、図１の左右方向を“左”及び“右”と、同図の手前側を“前”と、同図の奥側を“後”と称するものとする。
また“前壁部”及び“後壁部”とは、ポーチ本体２の内部空間（本実施形態では物品収納部Ｒ及び袋収納部Ｑ）の前方、後方を区画する部位を言い、それぞれ布材や柔軟な合成樹脂材などで形成することができる。
【００２１】
前記前壁部４は、前方から見て、下側が幅狭の逆台形に形成されている。この前壁部４は、図３（Ａ）に示す縫い目Ｓでそれぞれの上端同士及び下端同士を逢着させた第１表地４ａ及び第１裏地４ｂで形成されている。
図示例では、前記第１表地４ａを、さらに左右方向中間に位置する前面部５と、左右方向の外側に位置する側面部６との２パーツで形成している。
前記前面部５は、側面部６に対して前方に張り出している。
前記側面部６は、図１に示す如く、前記前面部５の左右両端から後方へ斜めに延びており、左右方向外側へ向かって上下に幅狭となる。
そして図示例では、前記前壁部４の左右両端部を前記側面部６の前端部と前記第１裏地４ｂとの間に縫い留めて、図３（Ａ）に示す如く、それら第１裏地４ｂと前面部５との間に第１ポケットＰ１を形成している。また前記前面部５の上端部には、左右方向に延びる前側主開口部Ａ１が形成されている。
図示例では、この前側主開口部Ａ１を、帯状のジッパーテープに配列した一連の努歯（ムシ）とスライダーとで構成されるジッパー機構Ｚとして形成している。もっとも、その構造は適宜変更することができる。
【００２２】
前記後壁部８は、図３（Ａ）に示す縫い目Ｓで上端部同士を逢着させた第２表地８ａ及び第２裏地８ｂで形成されている。
前記第２表地８ａの下端部は、前記ジッパー機構Ｚを介して前記前壁部４の下端部に固定された固定端ｅ１である。
他方、前記第２裏地８ｂの下端は、後述のパーティション１６の下端に縫い付けられているが、前記前壁部４及び前記第２表地８ａに対しては、自由に動く自由端ｅ２である。
前記第２表地８ａの上部の左右方向には、図２に示す如く、後述のベルト部材３０を取り付けるための取付部位Ｃが形成されている。図示例では、この取付部位Ｃを、上下両端を前記第２表地８ａに連結した取付片９で形成し、この取付片９の左右両端にベルト部材３０を縫い付けるようにしている。
前記取付片９の外側には、ハンガーループＬが付設されている。
また前記第２表地８ａの上部の左右両側部には、左右一対のベルト通し１０を形成している。このベルト通し１０は、縦方向に長い帯片の上下両端を前記第２表地８ａに連結してなり、図３（Ｂ）に示す如く、この第２表地８ａとの間にベルト保持孔Ｈを形成している。このベルト保持孔Ｈは、ベルト部材３０の挿通箇所を保持する機能を有する。
また本実施形態では、各ベルト通し１０の長さ方向の一部（図示例ではベルト通しの下端と第２表地との連結箇所）に、再連結可能に分離できる分離部１２が形成されている。図示例では、前記分離部１２に、ベルト通し１０の下端に付設した係合凸部１３ｂと、前記第２表地８ａの対応箇所に付設した係合凹部１３ａとからなる留め具１３を設けることで、前記分離部１２の再連結を可能としている。
前記分離部１２を分離させ、前記ベルト保持孔Ｈのベルト保持機能を解除することにより、図８に示す如く、前記取付部位Ｃからベルト部材３０を延ばすことができる余地（延び代という）を大きくすることができ、背負い袋として使用するときに使い勝手が良い。
前記第２裏地８ｂの上端部には、図３（Ａ）に示すように、左右方向に延びる口部１４ａを形成するとともに、この口部１４ａの周囲に中袋１４の上端部を逢着させている。この中袋１４は、前記第２表地８ａと前記第２裏地８ｂとの間に吊り下げられている。
前記中袋１４の内部には、第２ポケットＰ２が形成されている。
【００２３】
前記パーティション１６は、柔軟な部材で前記前壁部４及び側壁部６と後壁部８との間に架け渡されている。そして前記ポーチ本体２の内部空間のうちで前記パーティション１６より上側の部分を物品収納部Ｒに、また前記パーティション１６より下側の部分を袋収納部Ｑにそれぞれ形成している。
図示例では、前記パーティション１６を、図３（Ａ）に示す如く、前記前壁部４及び側壁部６の上端部と前記後壁部８の第２裏地８ｂの下端部との間に架け渡している。この構成によれば、前記袋収納部Ｑを上下方向に長くすることができるので、背負い袋を収納することが容易となる。
もっとも、この構成は適宜変更することができる。例えば前記パーティションを、前記前壁部４及び側壁部６の下端部と前記後壁部８の上端部との間に架け渡してもよい。  
【００２４】
前記天蓋部１８は、図３（Ａ）に示す如く、前記前壁部４及び前記側壁部６の上端部と前記後壁部８の上端部との間に張設されている。
この天蓋部１８の前部には、左右方向に延びる上側主開口部Ａ２が形成されている。
【００２５】
背負い袋本体２０は、図６に示す周壁２２とこの周壁の下端部を閉塞する底部２４とで形成されており、柔軟で折り畳み可能な材料で形成されている。
図示例の背負い袋本体２０の下半部２０ａは、図７に示す如く、上半部２０ｂに比べて左右に幅広に設けられている。
なお、本明細書において、“上半部”及び“下半部”とは、前記背負い袋本体２０を均等に二分したものである必要はなく、例えば前記背負い袋本体の上部及び上下方向の中間部を上半部、背負い袋本体の下部を下半部としてもよい。
前記周壁２２の上端部は、前記補助開口部Ｂの近傍のポーチ本体２の内側に縫い付けなどの方法で固定されている。そして図３（Ａ）に示すように、折畳み状態で前記袋収納部Ｑ内に収納することができる。
前記周壁２２の適所（図示例では前壁部分Ｗｆ）には、物品を出し入れするための口部２３が設けられている。図示例の口部は、ジッパー機構Ｚを備えているが、その構造は適宜変更することができる。
また前記周壁２２の左右両側には、図７に示す如く、左右一対の締結部材２６が付設されている。各締結部材２６は、前記周壁から突出する連結バンド２７と、この連結バンド２７の先端に取り付けられた袋側締結具２８とで形成されている。記袋側締結具２８の役割は、後述の左右一対のベルト部３２に取り付けられたベルト側締結具４０と締結させることである。
図示の袋側締結具２８は、相互に結合可能な雄型締結具Ｍ及び雌型締結具Ｆとしている。こうした締結具の構造は従来公知である。
前記連結バンド２７の基端部は、前記周壁２２の適所（図示例では側壁部分Ｗｓ及び後壁部分Ｗｂとの間）に縫い付けるとよい。
なお、本明細書において、“背負い袋”とは、ナップサック及びリュックサックを含む広い概念である。
【００２６】
ベルト部材３０は、腰巻ベルトと肩掛けベルトを兼ねる部材であり、ポーチ本体２からほぼ横方向に延びる腰巻ベルトとしての使用態様と、背負い袋の上部側からほぼ縦方向へ延びる肩掛けベルトとしての使用態様との双方に適した構成とすることが好適である。
本実施形態では、図８に示す展開状態での背負い袋本体２０の上半部に前記ポーチ本体２が配置されるように設けるとともに、このポーチ本体２の後面の幅方向の中間位置に設置された取付け部位Ｃに前記ベルト部材３０を取り付けている。
そして、このベルト部材３０を横方向へ延出させるときには、前記ベルト通し１０を挿通させることができ、またベルト部材３０をほぼ縦方向に延出させるときには、図８の右半部に示すように、ベルト通し１０から前記ベルト部材３０を外すことができるようにしている。
もっとも、この構成は適宜変更することができ、図示はしないが、例えば前記ベルト部材３０の基部を前記ポーチ本体２の適所（例えば後面左右両部又は左右方向中間部）に対して縦方向と横方向との間で回転可能に形成してもよい。
また図示はしないが、前記ポーチ本体２の裏面に、前記ベルト本体３０が縦向きの状態及び横向きの状態で当該ベルト本体の基部を取り付け可能な２種類の取付部位を形成し、それぞれに着脱可能としても構わない。
この場合、前記ベルト部材３０は、一本のベルトで形成することができる。ポーチ本体２から延出するベルトの先部側に後述の締結具を取り付けるとともに、腰巻きベルトの使用態様で当該締結具を固定できる締結部位を前記ポーチ本体２の適所に、また肩掛けベルトの使用態様で当該締結具を固定できる締結部位を前記背負い袋本体２０の適所にそれぞれ設けるとよい。
【００２７】
本実施形態においては、前記ベルト本体２０は、左右一対の帯状のベルト部３２からなり、これらベルト部３２は、図２に示す如く、前記ポーチ本体２の取付部位Ｃから左右方向に延びている。図示例では、各ベルト部３２の基部３４を前記取付片９の内側に縫い付けている。
もっともこれらの構造は、適宜変更することができる。例えば、一本のベルトを前記取付片９とポーチ本体２の後壁部８との間に挿通させ、ベルトの長手方向の中間部を前記取付部位に縫い付けても構わない。
前記一対のベルト部３２は、相互に同一構造に形成することが望ましい。
各ベルト部３２の先部３６側には、ベルト側締結具４０が取り付けられている。
このベルト側締結具４０は、これら袋側締結具２８と同タイプの雄型、雌型の締結具とする。そして、左のベルト側締結具４０及び左の袋側締結具２８同士、並びに、右のベルト側締結具４０及び右の袋側締結具２８同士がそれぞれ締結できるように雌雄の選択をするものとする。
本実施形態では、各ベルト部３２の先端部に従来公知の長さ調整用バックル３８を取り付けるとともに、この長さ調整用バックル３８に、前記ベルト部３２の取付部位Ｃ寄りの部分を挿通させてベルト部３２の先部３６をループに形成し、このループに前記ベルト側締結具４０を取り付けている。
【００２８】
前記構成において、ウエストポーチとして用いるときには、図１の状態から一対のベルト部３２を利用者の腰に巻き、そして一対のベルト側締結具４０を相互に結合すればよい。
前記ベルト部３２の長さが短すぎるとき又は長すぎるときには、前記長さ調整用バックル３８を移動することにより、適宜調節することができる。
そして上側主開口部Ａ２を開いて、物品収納部Ｒに物品を収納することができる。このとき物品収納部Ｒはパーティション１６により袋収納部Ｑに対して仕切られているので、物品と背負い袋本体２０とが一緒に収納され、背負い袋本体２０に汚れが付着することを防止できる。
必要により、第１ポケットＰ１及び第２ポケットＰ２内にも物品を収納することができる。
次に背負い袋として使用するときには、図５に示すように、補助開口部Ｂを開いて、袋収納部Ｑから背負い袋本体２０を展開する。
次に図７及び図８に示すように、左右一対のベルト通し１０の分離部１２を順次分離させて、各ベルト部３２をベルト通し１０から外す。こうして、前記ポーチ本体２の取付部位Ｃからのベルト部３２の延び代を大きくする。こうすることにより、前記取付部位Ｃから利用者の肩に対してベルト部３２をスムーズに掛けることが可能となる。
次に左のベルト側締結具４０及び左の袋側締結具２８同士、並びに、右のベルト側締結具４０及び右の袋側締結具２８同士をそれぞれ締結する。こうして、左右一対のベルト部３２を肩に掛けるとよい。
前記背負い袋本体２０内には、前記口部１４ａから物品を出し入れすることができるが、背負い袋として使用している状態で、前記ポーチ本体２の物品収納部Ｒ、第１ポケットＰ１、及び第２ポケットＰ２にも物品を収納することができる。
前記構成によれば、ベルト部３２を、腰巻ベルトとしても肩掛けベルトとしても兼用することができる。従って、例えば背負い袋して使用するときに、ウエストポーチの腰巻ベルトをポーチ本体に収納するなどの手間を必要とせず、使い勝手がよい。 
【符号の説明】
【００２９】
２…ポーチ本体  ４…前壁部  ４ａ…第１表地  ４ｂ…第１裏地
５…前面部  ６…側面部  ８…後壁部  ８ａ…第２表地  ８ｂ…第２裏地
９…取付片  １０…ベルト通し
１２…分離部  １３…留め具  １３ａ…係合凹部  １３ｂ…係合凸部
１４…中袋  １４ａ…口部  １６…パーティション
１８…天蓋部
２０…背負い袋本体  ２０ａ…下半部  ２０ｂ…上半部
２２…周壁  ２３…口部  ２４…底部
２６…締結部材  ２７…連結バンド  ２８…袋側締結具
３０…ベルト部材  ３２…ベルト部  ３４…基部  ３６…先部
３８…長さ調節用バックル  ４０…ベルト側締結具
Ａ…主開口部  Ａ１…前側主開口部  Ａ２…上側主開口部
Ｂ…補助開口部  Ｃ…取付部位  ｅ１…固定端  ｅ２…自由端
Ｆ…雌型締結具  Ｈ…ベルト保持孔  Ｌ…ハンガーループ Ｍ…雄型締結具  
Ｏ１…収納物品  Ｏ２…収納物品  Ｏ３…収納物品  
Ｐ１…第１ポケット  Ｐ２…第２ポケット  Ｑ…袋収納部  Ｒ…物品収納部
Ｓ…縫い目  Ｕ…利用者  Ｗｂ…後壁部分  Ｗｆ…前壁部分  Ｗｓ…側壁部分
Ｚ…ジッパー機構
【図１】
2020141726.tif 000003
【図２】
2020141726.tif 000004
【図３】
2020141726.tif 000005
【図４】
2020141726.tif 000006
【図５】
2020141726.tif 000007
【図６】
2020141726.tif 000008
【図７】
2020141726.tif 000009
【図８】
2020141726.tif 000010